【手続補正書】
【提出日】平成23年11月2日(2011.11.2)
【手続補正１】
【補正対象書類名】特許請求の範囲
【補正対象項目名】請求項６
【補正方法】変更
【補正の内容】
【請求項６】
前記プレートの上側プレート面と下側プレート面とのそれぞれは粗面化された部分を有している、
請求項１に記載のディスク・ドライブ。
【手続補正２】
【補正対象書類名】明細書
【補正対象項目名】００１４
【補正方法】変更
【補正の内容】
【００１４】
前記プレートの上側プレート面と下側プレート面とのそれぞれは粗面化された部分を有していることが好ましい。これにより、下流のカルマン渦を効果的に抑制することができ、ディスク面に付着する塵埃量をより低減することができる前記支持部は、前記ディスクの外周端と対向し、その外周端に沿った形状を有する内側面を有することが好ましい。これにより、ディスク・フラッタを抑制することができる。前記プレート及び前記支持部は、その表面にメッキ金属層あるいはマイナス帯電コーディング層を有していることができる。これにより、表面を上記所望電位にすることができる。
【手続補正３】
【補正対象書類名】明細書
【補正対象項目名】００１５
【補正方法】変更
【補正の内容】
【００１５】
本発明によれば、ＦＩＶ特性を改善する気流抑制部品によりディスク上に付着する塵埃を低減することができる。
【手続補正４】
【補正対象書類名】明細書
【補正対象項目名】００２０
【補正方法】変更
【補正の内容】
【００２０】
以下において、気流抑制部品の好ましい例であるエア・スポイラについて説明を行い、その後、ディスク・ダンパについて説明をする。本形態のエア・スポイラについて詳細に説明を行う前に、本形態のエア・スポイラが実装されるＨＤＤの全体構成を説明する。図１は、本実施の形態に係るＨＤＤ１００の構成を模式的に示す上面図である。図１において、ＨＤＤ１００の各構成要素を収容するベース１０２は、ベースの上部開口を塞ぐトップ・カバー（不図示）とガスケットを介して固定されることによってディスク・エンクロージャを構成し、ＨＤＤ１００の各構成要素を収容する。
【手続補正５】
【補正対象書類名】明細書
【補正対象項目名】００２３
【補正方法】変更
【補正の内容】
【００２３】
アクチュエータ１０６は、ヘッドが配置されたその先端部から、サスペンション１１０、アーム１１１、コイル・サポート１１２、フラットコイル１１３の順で結合された各構成部材を備えている。ＶＣＭ（ボイス・コイル・モータ）１０９は、コントローラ（不図示）からの制御信号に応じてフラットコイル１１３に流される駆動電流により、回動軸１０７を中心としてアクチュエータ１０６をその短手方向（ディスク半径方向）において回動する。これによって、アクチュエータ１０６は磁気ディスク１０１の上でディスク表面の半径方向に沿ってヘッド・スライダ１０５を移動する、もしくは、磁気ディスク１０１の外側へヘッド・スライダ１０５を移動する。これによって、ヘッド・スライダ１０５が所望のトラックにアクセス（リードもしくはライト）することができる。
【手続補正６】
【補正対象書類名】明細書
【補正対象項目名】００２７
【補正方法】変更
【補正の内容】
【００２７】
図２（ａ）、（ｂ）は、エア・スポイラ５００の構造を模式的に示す斜視図である。図２（ａ）は、上側からエア・スポイラ５００の流出端側を見た図であり、図２（ｂ）は下側からエア・スポイラ５００の流入端側を見た図である。エア・スポイラ５００の下側がベース１０２の底面に固定される。本明細書では、ベース１０２の底面を下側、トップ・カバー側を上側とする。図２（ａ）、（ｂ）の構成例において、このエア・スポイラ５００は、磁気ディスクの記録面に対向するように配置される３枚の翼５０１ａ、５０１ｂ、５０１ｃを有している。さらに、エア・スポイラ５００は、翼５０１ａ〜５０１ｃを支持する支持部５０２を有している。翼５０１ａ〜５０１ｃは、それぞれ、磁気ディスク上の気流を抑制するプレートである。
【手続補正７】
【補正対象書類名】明細書
【補正対象項目名】００２８
【補正方法】変更
【補正の内容】
【００２８】
支持部５０２は貫通孔５２１を有しており、そこを貫通するネジによりベース１０２の底に固定される。ＨＤＤ１００の組み立てにおいては、磁気ディスクを実装した後、エア・スポイラ５００をベース内に配置して、ネジにおり仮止めし、その後、ネジを中心として支持部５０２を回転させて翼５０１ａ〜５０１ｃを磁気ディスクと重なる位置に移動する。
【手続補正８】
【補正対象書類名】明細書
【補正対象項目名】００３０
【補正方法】変更
【補正の内容】
【００３０】
そして、最下段（三段目）の翼５０１ｃは、二段目（中段）の磁気ディスクと三段目（最下段）の磁気ディスクとの間に挿入される。最下段の磁気ディスクとベース・底面との間には、翼を挿入しなくともよい。磁気ディスクの対面が静止壁であり空気流の流速が低いため、翼を設けなくても風乱振動の影響が小さいからである。同様の理由から、最上段の上には翼５０１ａを設けなくてもよい。
【手続補正９】
【補正対象書類名】明細書
【補正対象項目名】００３８
【補正方法】変更
【補正の内容】
【００３８】
内側面５２２は、図２に示すように、ＳＰＭ（スピンドル・モータ）１０３のスピンドル軸と平行に起立している。内側面５２２は、磁気ディスク１０１の外周端の近傍に配置され、各磁気ディスクの外周端と内側面５２２との間の間隙は、ディスク円周方向において略一定である。このため、支持部５０２は、ベース１０２のシュラウド１２１と同様に、磁気ディスクのフラッタを抑制する効果を奏する。翼５０１ａ〜５０１ｃと内側面５２２とにより、１部品のエア・スポイラ５００によるＦＩＶ特性の改善効果を高めることができる。
【手続補正１０】
【補正対象書類名】明細書
【補正対象項目名】００４１
【補正方法】変更
【補正の内容】
【００４１】
図４（ｂ）に示すように、翼５０１ａの断面は、流出側において下流に向かうにつれて徐々に減少している。翼５０１ａは、気流方向において水平（ディスク記録面に平行）に延びる流入側上面５１１と流入側下面５１２とを有している。流入側上面５１１と流入側下面５１２とは、共に水平であり、それらの間において翼５０１ａの厚みは気流方向において一定である。
【手続補正１１】
【補正対象書類名】明細書
【補正対象項目名】００４２
【補正方法】変更
【補正の内容】
【００４２】
翼５０１ａは、流出側（下流側）に、上側テーパー面５１３と下側テーパー面５１４とを有している。上側テーパー面５１３と流入側上面５１１とは連続しており、下側テーパー面５１４と流入側下面５１２とは連続している。上側テーパー面５１３と流入側上面５１１とは、翼５０１ａの上側翼面を構成し、下側テーパー面５１４と流入側下面５１２とは翼５０１ａの下側翼面を構成する。上側テーパー面５１３と下側テーパー面５１４とは、上流から下流に直線的に傾斜している。そのため、上側テーパー面５１３と下側テーパー面５１４との間の間隔（翼５０１ａの厚み）は、上流から下流に向かって線形に減少している（減少率一定）。このように、翼５０１ａの厚みが流出側で減少することで、翼５０１ａの下流におけるカルマン渦を低減し、塵埃の引き込みを抑制することができる。
【手続補正１２】
【補正対象書類名】明細書
【補正対象項目名】００４６
【補正方法】変更
【補正の内容】
【００４６】
翼５０１ａの上側翼面５１６と下側翼面５１７には、気流の方向に交差する方に延びる複数の畝５１８（溝）が形成されている。複数の畝５１８は互いに平行であり、磁気ディスク１０１の外周側から内周側に向かって延びている。このように、気流の方向に沿って複数の畝５１８を配列することで、効果的に乱流境界層を形成することができる。好ましくは、上下翼面５１６、５１７の双方に形成するが、その一方のみに形成してもよい。また、上下翼面５１６、５１７を粗面化する方法として、上下翼面５１６、５１７に複数のディンプルを形成する、あるいは多数の小さい柱を上下翼面５１６、５１７に形成してもよい。
【手続補正１３】
【補正対象書類名】明細書
【補正対象項目名】００５１
【補正方法】変更
【補正の内容】
【００５１】
次に、気流抑制部品の他の例であるディスク・ダンパを有するＨＤＤについて説明する。図７は、ディスク・ダンパ７００が実装されたＨＤＤ１００の構造を模式的に示す平面図である。図７において、最上面の磁気ディスク１０１は省略され、二段目の磁気ディスク１０１ｂが示されている。ディスク・ダンパ７００は、磁気ディスク間に挿入され記録面に対向するプレート７０１と、そのプレート７０１を支持し、ベース１０２に固定されている二つの支持部７２１、７２２を有している。プレート７０１は、磁気ディスクの回転による発生する気流を抑制し、磁気ディスクのフラッタ振動を抑制することができる。
【手続補正１４】
【補正対象書類名】明細書
【補正対象項目名】００５２
【補正方法】変更
【補正の内容】
【００５２】
ＨＤＤ１００が３枚以上の磁気ディスクを有する場合、ディスク・ダンパは、磁気ディスク間の各空間にそれぞれ挿入される。各ディスク・ダンパは、図７に示すディスク・ダンパ７００と同様に、プレートと支持部とを有する。ＨＤＤ１００の組み立ては、磁気ディスクとディスク・ダンパを交互にベース１０２内に配置する。これにより、各ディスク間スペースにディスク・ダンパを配置することができる。
【手続補正１５】
【補正対象書類名】明細書
【補正対象項目名】００５３
【補正方法】変更
【補正の内容】
【００５３】
本形態のディスク・ダンパ７００は、上記エア・スポイラ５００と同様の構造を有する。つまり、その電気特性を決定する材料及びプレート７０１の形状は、エア・スポイラ５００の構成材料及び翼５０１ａ〜５０１ｃの形状と同様である。エア・スポイラ５００について行った材料及び形状についての上記説明は、ディスク・ダンパ７００に対して適用することができる。例えば、ディスク・ダンパ７００の全体を導電性樹脂で形成し、プレート７０１の流出側の上下面にテーパー面を形成する。これにより、磁気ディスク上の塵埃の蓄積を抑制することができる。ディスク・ダンパ７００の本体部を樹脂成型し、その周囲をメッキ金属で覆ってもよい。
【手続補正１６】
【補正対象書類名】図面
【補正対象項目名】図１
【補正方法】変更
【補正の内容】
【図１】
2010134988.tif 000001